(57)【要約】【課題】本発明は駐車場の管理システムに関し、駐車場利用者の利便性を向上し、顧客満足度を向上させることができる駐車場の管理システムを提供することを目的としている。【解決手段】店舗に付属して設けられた有料駐車場の管理システムにおいて、駐車場の入口に設けられた駐車券を発券する駐車券発券機１２と、駐車場の出口に設けられた駐車料金の精算を行なう精算機１８と、店舗で商品購入時にレシートに駐車場の割引情報を記録する割引情報記録手段２０と、を具備し、前記精算機１８は駐車券とレシートの情報を読み込み、駐車券に記録された入庫時刻と、出庫時刻とから駐車料金を計算し、この計算した値から、前記レシートに記録された割引情報に基づいて計算される割引額を差し引いた金額を要求するように構成される。【選択図】      図１
2004199153.tif 000002
【特許請求の範囲】
【請求項１】
店舗に付属して設けられた有料駐車場の管理システムにおいて、
駐車場の入口に設けられた駐車券を発券する駐車券発券機と、
駐車場の出口に設けられた駐車料金の精算を行なう精算機と、
店舗で商品購入時にレシートに駐車場の割引情報を記録する割引情報記録手段と、
を具備し、
前記精算機は駐車券とレシートの情報を読み込み、駐車券に記録された入庫時刻と、出庫時刻とから駐車料金を計算し、この計算した値から、前記レシートに記録された割引情報に基づいて計算される割引額を差し引いた金額を要求するように構成されたことを特徴とする駐車場の管理システム。
【請求項２】
前記レシートに記録される割引情報は、バーコードで記録されることを特徴とする請求項１記載の駐車場の管理システム。
【請求項３】
前記レシートに割引情報に加えて不正防止用の情報を記録することを特徴とする請求項１記載の駐車場の管理システム。
【発明の詳細な説明】
【０００１】
【発明の属する技術分野】
本発明は駐車場の管理システムに関し、更に詳しくは有料駐車場の割り引き額を算出するようにした駐車場の管理システムに関する。
【０００２】
【従来の技術】
有料の駐車場では、特定の店舗の利用者に対して割引をする場合がある。このような割引は、従来以下のような手順で行なわれてきた。
▲１▼駐車場の利用者は駐車場にて駐車券を受け取る。
▲２▼特定の店舗で商品を購入した場合に、店舗から割引券を受け取る。又は、駐車券に割引情報を記録する。
▲３▼駐車場での精算の際に割引券又は割引情報が記録された駐車券によって割引を受け、出庫する。
【０００３】
また、その他の駐車場の管理システムとして、店舗で店舗の識別コードや割引内容等を表したバーコードを駐車券に押印し、精算機では駐車券に押印されたバーコードが示す情報を読み取り、この読み取った情報に基づいて駐車料金の精算を行なう技術がある（例えば特許文献１参照）。
【０００４】
【特許文献１】
特開平５−１２８３３６号公報（第２頁、３頁、図１）
【０００５】
【発明が解決しようとする課題】
前述した従来の駐車場の管理システムとしては、以下に示すように利用者に対するサービスの観点から問題があった。
▲１▼商品購入時に駐車券の割引の申し出を忘れた場合、店舗まで戻って割引の申し出をしなければならない。
▲２▼店舗において、駐車券に割引情報を記録する方式の場合には、駐車券を車内に忘れた場合、割引を受けられない。又は、駐車場まで駐車券を取りにいく必要がある。
▲３▼ある一定額以上の商品購入に対して割引を行なう方式の場合、複数回に分けて購入した場合、店舗の特定の窓口で合算の申請をする必要がある。
【０００６】
本発明はこのような課題に鑑みてなされたものであって、駐車場利用者の利便性を向上し、顧客満足度を向上させることができる駐車場の管理システムを提供することを目的としている。
【０００７】
【課題を解決するための手段】
（１）請求項１記載の発明は、以下の通りである。図１は本発明の原理構成図である。図において、１１は有料駐車場、１２は駐車場１１の入口に設けられた駐車券を発券する駐車券発券機、１３は発券された駐車券、１４は店舗である。有料駐車場１１は、店舗１４に付属して設けられている。
【０００８】
１５は利用者、１６は店員、１７はレジで発行されたレシート、１８は有料駐車場１１の出口に設けられ、駐車料金の精算を行なう精算機、１９は車、２０はレシート１７に割引情報を記録する割引情報記録手段である。レシートには商品購入情報（例えば商品名、価格、購入数等）が記録される。前記割引情報記録手段２０は、レシート１７に商品購入情報をプリントすると同時に、駐車場１１の割引情報を記録するようになっている。或いは、レシート１７に商品購入情報を記録するプリンタとは別置きになっていてもよい。
【０００９】
このように構成すれば、利用者が店舗で商品を購入し、レジで支払を行なう時には、全てのレシートに対して（駐車場を利用しているか否かに係わらず）駐車場の割引情報を記録するようにしているので、従来のように駐車券を車の中に置き忘れて、レジで商品を購入する場合に、あわてて車まで駐車券を取りにいくという負担がない。
【００１０】
駐車場利用者は、レジで受け取ったレシート１７を精算機１８に駐車券１３と共に読み込ませることで、スムーズに精算を行なうことができる。従って、この構成によれば、駐車場利用者の利便性を向上し、顧客満足度を向上させることができる。
（２）請求項２記載の発明は、前記レシートに記録される割引情報は、バーコードで記録されることを特徴とする。
【００１１】
このように構成すれば、精算機１８に幅広く使用されているバーコード読取器を設けることにより割引情報を速やかに読み取ることができ、操作性がよい。
（３）請求項３記載の発明は、前記レシートに割引情報に加えて不正防止用の情報を記録することを特徴とする。
【００１２】
このように構成すれば、精算機１８でレシート情報を読み込む時に、不正使用を認識することができるので、不正使用を防止することができる。
【００１３】
【発明の実施の形態】
以下、図面を参照して本発明の実施の形態例を詳細に説明する。
【００１４】
図２は本発明システムの動作を示すフローチャートである。以下、このフローチャートに沿って図１に示すシステムの動作を詳細に説明する。利用者１５が有料駐車場１１に入るために、駐車券発券機１２のところまでくると、該駐車券発券機１２は車１９を確認して入庫時刻を記録した駐車券１３を発券する（Ｓ１）。それと同時にゲートが空き、利用者１５は駐車場１１に入ることができる。
【００１５】
利用者１５は、空いているスペースに車１９を止めて店舗１４に入り、商品を購入する（Ｓ２）。商品の購入が終了したら、利用者１５は商品を持ってレジの所までくる。店員１６は、商品に付されているバーコードを利用して商品の価格を読み込む。そして、全ての商品のバーコードの読み込みが終了したら、レシート１７に購入した商品の単価と数量、合計金額、受け付け日時等をプリントする。
【００１６】
同時に、割引情報記録手段２０はレシート１７の一部に駐車場１１の割引情報を記録する（Ｓ３）。この記録の形態としては、例えばバーコードが用いられる。レシート１７にバーコードで記録するようにすると、精算機１８にバーコード読取器を設けることにより、割引情報を速やかに読み取ることができ、操作性がよい。
【００１７】
図３はレシートの記載例を示す図である。図より明らかなように、店舗の名前と、期日、電話番号、購入した商品の情報、合計金額等が記載される。２２は駐車場の割引情報を記録したバーコードである。
【００１８】
商品の購入が終了すると、利用者１５は駐車場１１に戻り、車１９を運転して精算機１８が設置されているところまでくる。この状態ではゲート（図示せず）は閉じている。そこで、利用者１５は駐車券１３とレシート１７を精算機１８に読み込ませる（Ｓ４）。ここで、レシート１７が複数枚ある場合には、複数のレシートを精算機１８に読み込ませる。
【００１９】
精算機１８は、駐車券１３に記録されている入庫時刻を読み出し、出庫時の時間との差分を求め、駐車料金を計算する（Ｓ５）。次に、精算機１８は、上記駐車料金から、レシート１７に記録された割引情報に基づいて計算される割引額を差し引き、精算金額として利用者１５に要求する（Ｓ６）。
【００２０】
利用者１５は、精算機１８の表示部（図示せず）に表示された精算金額を支払う（Ｓ７）。精算金額を支払うことにより、精算機１８がゲートを開けると、利用者１５は出庫することができる。
【００２１】
このように、本発明によれば、利用者１５が店舗１４で商品を購入し、レジで支払を行なう時には、全てのレシートに対して（駐車場を利用しているか否かに係わらず）駐車場１１の割引情報を記録するようにしているので、従来のように駐車券１３を車の中に置き忘れて、レジで商品を購入する場合に、あわてて車まで駐車券１３を取りにいくという負担がない。
【００２２】
図４は精算機１８の構成例を示すブロック図である。図において、２１は駐車料金の算出等の精算処理を行なう精算処理部である。２３はレシート１７に記載されたバーコードを読み取るバーコードリーダ、２２は駐車券１３に記録された入庫時刻を読み取る駐車券読取部、２４は各種情報を表示する表示部、２５は料金の収受を行なう料金収受処理部、２６は駐車場の出口に設けられた遮断機である。
【００２３】
このように構成された装置において、駐車券読取部２２は、駐車券１３に記録された入庫時刻を読み取る。一方、バーコードリーダ２３はレシート１７に記載された割引情報を示すバーコードを読み取る。精算処理部２１は、駐車券読取部２２で読み取られた入庫時刻を元に現在の時刻との差を求め、この差分により駐車料金を計算する。
【００２４】
一方、精算処理部２１は、上記計算された駐車料金からバーコードリーダ２３から読み取った割引情報に基づいて計算される割引額を差し引き、精算金額を表示部２４に表示する。ここで、利用者１５は表示部２４に表示された金額を料金収受処理部２５に支払う。精算処理部２１は、料金収受処理部２５からの料金収受情報を受けると、遮断機２６を駆動して遮断機２６を上に上げる。利用者１５の乗った自動車１９はゲートから出ることができる。
【００２５】
前述したように、駐車場利用者１５は、レジで受け取ったレシート１７を精算機１８に駐車券１３と共に読み込ませることで、スムーズに精算を行なうことができる。従って、この構成によれば、駐車場利用者の利便性を向上し、顧客満足度を向上させることができる。
【００２６】
上述の実施の形態例では、レシートに割引情報を記録する場合を例にとったが、これに加えて不正防止用の情報をレシートに記録するようにすることができる。例えば、レシート１７に購入物、購入時間の情報を記録することによって、複製等による不正防止を図ることができる。また、レシート１７に通番を記録することで、駐車場でこのレシートを拾った人が、再度そのレシート１７を精算機１８にかけても、既に当該レシートは使用されているので、ゲートは開かず不正使用を防止することができる。
【００２７】
このようにすれば、精算機１８でレシート情報を読み込む時に、不正使用を認識することができるので、不正使用を防止することができる。
【００２８】
上述の実施の形態例では、全てのレシートに駐車場の割引情報を記録する場合を例にとったが、本発明は必ずしもこれに限るものではなく、駐車場を利用している利用者に対してのみ駐車場の割引情報を記録するようにしてもよい。この場合、お客の申告により、又は店員が駐車場を利用しているかを尋ねることによって、レシートを別途用意された割引情報記録手段に挿入して割引情報を記録するようにしてもよい。
【００２９】
なお、レシートに記録する割引情報は、バーコードに限るものではなく、その他の種類の記録手段、例えば磁気記録手段による磁気記録等であってもよい。また、レシートの代わりに利用者が店舗との間の契約により決めたＩＣカードのごときものであってもよい。駐車券としてＩＣカードを利用すれば、駐車券やレシートのような紙を使用することがないので、資源の無駄遣いを防止することができる。この場合、駐車場の入口と出口に置かれる駐車場管理装置は、ＩＣカード対応のものである必要があることはいうまでもない。
【００３０】
【発明の効果】
以上説明したように、本発明によれば、以下の効果が得られる。
（１）請求項１記載の発明によれば、利用者が店舗で商品を購入し、レジで支払を行なう時には、全てのレシートに対して（駐車場を利用しているか否かに係わらず）駐車場の割引情報を記録するようにしているので、従来のように駐車券を車の中に置き忘れて、レジで商品を購入する場合に、あわてて車まで駐車券を取りにいくという負担がない。
【００３１】
駐車場利用者は、レジで受け取ったレシートを精算機に駐車券と共に読み込ませることで、スムーズに精算を行なうことができる。従って、この構成によれば、駐車場利用者の利便性を向上し、顧客満足度を向上させることができる。
（２）請求項２記載の発明によれば、精算機に幅広く使用されているバーコード読取器を設けることにより割引情報を速やかに読み取ることができ、操作性がよい。
（３）請求項３記載の発明によれば、精算機でレシート情報を読み込む時に、不正使用を認識することができるので、不正使用を防止することができる。
【００３２】
このように、本発明によれば、駐車場利用者の利便性を向上し、顧客満足度を向上させることができる駐車場の管理システムを提供することができる。
【図面の簡単な説明】
【図１】本発明の原理構成図である。
【図２】本発明システムの動作を示すフローチャートである。
【図３】レシートの記載例を示す図である。
【図４】精算機の構成例を示すブロック図である。
【符号の説明】
１１  有料駐車場
１２  駐車券発券機
１３  駐車券
１４  店舗
１５  利用者
１６  店舗
１７  レシート
１８  精算機
１９  車
２０  割引情報記録手段
【図１】
2004199153.tif 000003
【図２】
2004199153.tif 000004
【図３】
2004199153.tif 000005
【図４】
2004199153.tif 000006